(57)【要約】【課題】媒体の情報を変換し変換後の媒体とともに変換前の媒体を返却する情報変換サービスを効率的に行なうことが可能である。【解決手段】ネットワーク１と、ネットワーク１に接続され、媒体１１の情報を変換し変換後の媒体１４とともに変換前の媒体１１を返却する情報変換サービスの注文受付及び注文管理を行う受発注サーバ２と、ネットワーク１に接続され、情報変換サービスの注文情報を受発注サーバ２へ送信するユーザ端末３とを有し、受発注サーバ２は、情報変換サービスの注文情報を受け取ると、情報を変換する媒体を梱包して送付するための媒体梱包部材１０を発注する。【選択図】図１
2004318219.tif 000002
【特許請求の範囲】
【請求項１】
ネットワークと、
前記ネットワークに接続され、媒体の情報を変換し変換後の媒体とともに変換前の媒体を返却する情報変換サービスの注文受付及び注文管理を行う受発注サーバと、
前記ネットワークに接続され、前記情報変換サービスの注文情報を前記受発注サーバへ送信するユーザ端末とを有し、
前記受発注サーバは、前記情報変換サービスの注文情報を受け取ると、前記情報を変換する媒体を梱包して送付するための媒体梱包部材を発注することを特徴とする情報変換受発注システム。
【請求項２】
前記媒体梱包部材を発注する時に、注文前の媒体梱包部材及び／又は注文の申し込み・受け取りの場所を指定することを特徴とする請求項１に記載の情報変換受発注システム。
【請求項３】
前記発注された媒体梱包部材の送付時に、前記指定場所が自宅以外の場所である場合には、指定場所の地図が前記媒体梱包部材に明示されていることを特徴とする請求項２に記載の情報変換受発注システム。
【請求項４】
前記媒体梱包部材は、変換前の媒体と変換後の媒体とを収納するように２室に分かれていることを特徴とする請求項１乃至請求項３のいずれか１項に記載の情報変換受発注システム。
【請求項５】
前記媒体梱包部材は、媒体の有無を確認する確認窓を有することを特徴とする請求項１乃至請求項４のいずれか１項に記載の情報変換受発注システム。
【請求項６】
前記媒体梱包部材は、利用回数を明示する表示部を有することを特徴とする請求項１乃至請求項５のいずれか１項に記載の情報変換受発注システム。
【請求項７】
前記媒体梱包部材は、封筒であることを特徴とする請求項１乃至請求項６のいずれか１項に記載の情報変換受発注システム。
【請求項８】
前記媒体梱包部材は、通いケースであることを特徴とする請求項１乃至請求項６のいずれか１項に記載の情報変換受発注システム。
【請求項９】
前記媒体梱包部材の送付とともに、前記情報を変換する媒体を梱包して送付する時に用いる注文伝票を送付することを特徴とする請求項１乃至請求項８のいずれか１項に記載の情報変換受発注システム。
【請求項１０】
媒体の情報を変換し変換後の媒体とともに変換前の媒体を返却する情報変換サービスの注文情報をユーザ端末から受発注サーバへ送信し、
前記受発注サーバは、注文受付及び注文管理を行い、
前記情報変換サービスの注文情報を受け取ると、前記情報を変換する媒体を梱包して送付するための媒体梱包部材を発注することを特徴とする情報変換受発注方法。
【請求項１１】
前記媒体梱包部材を発注する時に、注文前の媒体梱包部材及び／又は注文の申し込み・受け取りの場所を指定することを特徴とする請求項１０に記載の情報変換受発注方法。
【請求項１２】
前記発注された媒体梱包部材の送付時に、前記指定場所が自宅以外の場所である場合には、指定場所の地図が前記媒体梱包部材に明示されていることを特徴とする請求項１１に記載の情報変換受発注方法。
【請求項１３】
前記媒体梱包部材は、変換前の媒体と変換後の媒体とを収納するように２室に分かれていることを特徴とする請求項１０乃至請求項１２のいずれか１項に記載の情報変換受発注方法。
【請求項１４】
前記媒体梱包部材は、媒体の有無を確認する確認窓を有することを特徴とする請求項１０乃至請求項１３のいずれか１項に記載の情報変換受発注方法。
【請求項１５】
前記媒体梱包部材は、利用回数を明示する表示部を有することを特徴とする請求項１０乃至請求項１４のいずれか１項に記載の情報変換受発注方法。
【請求項１６】
前記媒体梱包部材は、封筒であることを特徴とする請求項１０乃至請求項１５のいずれか１項に記載の情報変換受発注方法。
【請求項１７】
前記媒体梱包部材は、通いケースであることを特徴とする請求項１０乃至請求項１５のいずれか１項に記載の情報変換受発注方法。
【請求項１８】
前記媒体梱包部材の送付とともに、前記情報を変換する媒体を梱包して送付する時に用いる注文伝票を送付することを特徴とする請求項１０乃至請求項１７のいずれか１項に記載の情報変換受発注方法。
【発明の詳細な説明】
【０００１】
【発明の属する技術分野】
この発明は、媒体の情報を変換し変換後の媒体とともに変換前の媒体を返却するサービスをインターネットなどのネットワークを介してユーザ（顧客）に提供する情報変換受発注システム及び情報変換受発注方法に関する。
【０００２】
【従来の技術】
近年、デジタルカメラや家庭用デジタルプリンタは、画像処理技術の向上により、めざましい勢いで普及している。それに伴い、使用しているユーザもデジタル画像に対する意識も高まり、インターネットのホームべージ作成やデジタルプリントなど様々な用途で使われてきている。一方、画像プリントサービスを行う出力センターやミニラボ（小規模現像所）や集中処理を行う大ラボなども当然、デジタル画像データを取り扱うサービスが増えてきており、そのサービスバリエーションは多岐に渡る。
【０００３】
写真に関するサービスを顧客に提供する方法として、大ラボや出力センターにスキャナやプリンターを配置し、顧客が撮影した写真画像を画像サーバに蓄積し、顧客が画像サーバにインターネットを介し、アクセスして写真の焼き増し注文や画像のアップロード、ダウンロードなどの各種サービスを提供するネットワークビジネスが提案されている（例えば特許文献１）。このネットワークビジネスの利点として、自宅に居ながらにして注文ができ、デジタル画像ならではのサービスが受けられる為、エンドユーザにとってはメリットが大きく、今後伸びていくサービスであろうと予測される。
【０００４】
【特許文献１】
特開２００１−３４６０２８号公報（第１〜第７頁、図１、図２）
【０００５】
【発明が解決しようとする課題】
このように、デジタルカメラの高性能化、低価格化により写真画像をデジタルデータとして扱うユーザが急激に増加している。また、フィルムカメラで撮影した写真をデジタルデータに変換するサービスも行われており、フィルムを現像した後、スキャナ等で読み取り、読み取った画像データをＣＤ−Ｒ等のメディアに書き込んでユーザに提供するサービスも行われている。
【０００６】
ところで、ユーザは、ＶＨＳ、ＶＨＳ−Ｃ、８ｍｍ、ＤＶ、写真プリントなどの各媒体を所有していることがあるが、これらの各媒体は情報の保存容量が少なく、大型であり、保管等に多くのスペースが必要であった。また、ユーザは、各媒体を整理して例えば他のＤＶＤ等に変換して保存したい場合があるが、ユーザがネットワークを介して情報変換サービスの注文を行なうことができればサービスの向上になる。
【０００７】
この発明は、このような課題に鑑みてなされたのものであって、媒体の情報を変換し変換後の媒体とともに変換前の媒体を返却する情報変換サービスを効率的に行なうことが可能な情報変換受発注システム及び情報変換受発注方法を提供することを目的としている。
【０００８】
【課題を解決するための手段】
前記課題を解決し、かつ目的を達成するために、この発明は、以下のように構成した。
【０００９】
請求項１に記載の発明は、ネットワークと、
前記ネットワークに接続され、媒体の情報を変換し変換後の媒体とともに変換前の媒体を返却する情報変換サービスの注文受付及び注文管理を行う受発注サーバと、
前記ネットワークに接続され、前記情報変換サービスの注文情報を前記受発注サーバへ送信するユーザ端末とを有し、
前記受発注サーバは、前記情報変換サービスの注文情報を受け取ると、前記情報を変換する媒体を梱包して送付するための媒体梱包部材を発注することを特徴とする情報変換受発注システムである。
【００１０】
ここで、媒体とは、画像が記録でき、人間は持ち歩きできる記録メディアであれば、特に制限はない。例えば、ＶＨＳや８ｍｍ、ＤＶなどの磁気的に入出力するビデオテープや、ＣＤやＤＶＤなど光学的に入出力する光ディスクや、ＭＯなどの光磁気ディスク、フラッシュメモリーなどの記録媒体、あるいは、写真プリント、ネガフィルム・ポジフィルムなどの肉眼で直接内容を確認できるアナログ記録媒体等がある。また、変換前媒体には、上記に加えて、絵画や色紙などのオリジナル画像でも構わない。さらに、変換後媒体は、ユーザにとって変換前の媒体に対して情報密度の高まる媒体（例えばＤＶＤなどへの変換）であることが好ましいが、用途・目的画像が記録でき、人間が持ち歩きできる記録メディアであれば、特に制限はない。例として、ＶＨＳやＤＶなどのビデオテープからＤＶＤへの変換や、カラー写真やカラーネガフィルム画像あるいは、フラッシュメモリに記録した静止画像からのＣＤやＤＶＤあるいは、写真アルバム（ハードコピー）への変換などが挙げられる。
【００１１】
この請求項１に記載の発明によれば、受発注サーバが情報変換サービスの注文情報を受け取ると、情報を変換する媒体を梱包して送付するための媒体梱包部材を発注することで、ユーザに媒体梱包部材が送られてくるために、ユーザは情報を変換する媒体を媒体梱包部材によって梱包して注文し、情報変換サービスを効率的に行なうことができる。
【００１２】
請求項２に記載の発明は、前記媒体梱包部材を発注する時に、注文前の媒体梱包部材及び／又は注文の申し込み・受け取りの場所を指定することを特徴とする請求項１に記載の情報変換受発注システムである。
【００１３】
この請求項２に記載の発明によれば、媒体梱包部材を発注する時に、注文前の媒体梱包部材及び／又は注文の申し込み・受け取りの場所を指定することで、受け取りに都合の良い場所で、空（注文前）の媒体梱包部材の受け取りや、その媒体梱包部材を用いた商品注文が容易になる。
【００１４】
請求項３に記載の発明は、前記発注された媒体梱包部材の送付時に、前記指定場所が自宅以外の場所である場合には、指定場所の地図が前記媒体梱包部材に明示されていることを特徴とする請求項２に記載の情報変換受発注システムである。
【００１５】
この請求項３に記載の発明によれば、発注された媒体梱包部材の送付時に、自宅以外を商品注文場所に指定した時に、注文・受け取り場所の地図が媒体梱包部材に明示されていることで、間違いなくユーザは指定場所で注文と受け取りが可能となる。一方空（注文前）の媒体梱包部材の受け取り場所が自宅以外の店舗等の場合は、その場所の地図などの位置情報をＷＥＢ表示やメールで連絡する。
【００１６】
請求項４に記載の発明は、前記媒体梱包部材は、変換前の媒体と変換後の媒体とを収納するように２室に分かれていることを特徴とする請求項１乃至請求項３のいずれか１項に記載の情報変換受発注システムである。
【００１７】
この請求項４に記載の発明によれば、媒体梱包部材は、変換前の媒体と変換後の媒体とを収納するように２室に分かれていることで、生産者もユーザも内容物の確認が容易になり、確実にユーザの商品を受け渡すことが可能となる。
【００１８】
請求項５に記載の発明は、前記媒体梱包部材は、媒体の有無を確認する確認窓を有することを特徴とする請求項１乃至請求項４のいずれか１項に記載の情報変換受発注システムである。
【００１９】
この請求項５に記載の発明によれば、媒体梱包部材は、媒体の有無を確認する確認窓を有することで、例えば取り次ぎ店等で外部から容易に媒体の収納を確認できる。
【００２０】
請求項６に記載の発明は、前記媒体梱包部材は、利用回数を明示する表示部を有することを特徴とする請求項１乃至請求項５のいずれか１項に記載の情報変換受発注システムである。
【００２１】
この請求項６に記載の発明によれば、媒体梱包部材は、利用回数を明示する表示部を有することで、媒体梱包部材を通いとした場合の交換時期を容易に知ることができる。
【００２２】
請求項７に記載の発明は、前記媒体梱包部材は、封筒であることを特徴とする請求項１乃至請求項６のいずれか１項に記載の情報変換受発注システムである。
【００２３】
この請求項７に記載の発明によれば、媒体梱包部材が封筒であることで、嵩張らず簡便で、かつ安価である。
【００２４】
請求項８に記載の発明は、前記媒体梱包部材は、通いケースであることを特徴とする請求項１乃至請求項６のいずれか１項に記載の情報変換受発注システムである。
【００２５】
この請求項８に記載の発明によれば、媒体梱包部材が通いケースであることで、何回も使用でき便利である。通いケースの形状・材質には特に制限は無いが好ましくは、耐久性と繰り返しの封緘機能のある、厚紙で構成されたボックス型の形状のものや、ファスナ付きのビニールケースなどが挙げられる。また、内部の視認性にすぐれた透明部材を用いることも好ましい。
【００２６】
請求項９に記載の発明は、前記媒体梱包部材の送付とともに、前記情報を変換する媒体を梱包して送付する時に用いる注文伝票を送付することを特徴とする請求項１乃至請求項８のいずれか１項に記載の情報変換受発注システムである。
【００２７】
この請求項９に記載の発明によれば、媒体梱包部材の送付とともに、情報を変換する媒体を梱包して送付する時に用いる注文伝票を送付することで、ユーザや取り次ぎ店で注文伝票を別に用意する必要がなく便利である。
【００２８】
請求項１０に記載の発明は、媒体の情報を変換し変換後の媒体とともに変換前の媒体を返却する情報変換サービスの注文情報をユーザ端末から受発注サーバへ送信し、
前記受発注サーバは、注文受付及び注文管理を行い、
前記情報変換サービスの注文情報を受け取ると、前記情報を変換する媒体を梱包して送付するための媒体梱包部材を発注することを特徴とする情報変換受発注方法である。
【００２９】
この請求項１０に記載の発明によれば、受発注サーバが情報変換サービスの注文情報を受け取ると、情報を変換する媒体を梱包して送付するための媒体梱包部材を発注することで、ユーザに媒体梱包部材が送られてくるために、ユーザは情報を変換する媒体を媒体梱包部材によって梱包して注文し、情報変換サービスを効率的に行なうことができる。
【００３０】
請求項１１に記載の発明は、前記媒体梱包部材を発注する時に、注文前の媒体梱包部材及び／又は注文の申し込み・受け取りの場所を指定することを特徴とする請求項１０に記載の情報変換受発注方法である。
【００３１】
この請求項１１に記載の発明によれば、媒体梱包部材を発注する時に、注文前の媒体梱包部材及び／又は注文の申し込み・受け取りの場所を指定することで、受け取りに都合の良い場所で、空（注文前）の媒体梱包部材の受け取りや、その媒体梱包部材を用いた商品注文が容易になる。
【００３２】
請求項１２に記載の発明は、前記発注された媒体梱包部材の送付時に、前記指定場所が自宅以外の場所である場合には、指定場所の地図が前記媒体梱包部材に明示されていることを特徴とする請求項１１に記載の情報変換受発注方法である。
【００３３】
この請求項１２に記載の発明によれば、発注された媒体梱包部材の送付時に、自宅以外を商品注文場所に指定した時に、注文・受け取り場所の地図が媒体梱包部材に明示されていることで、間違いなくユーザは指定場所で注文と受け取りが可能となる。一方空（注文前）の媒体梱包部材の受け取り場所が自宅以外の店舗等の場合は、その場所の地図などの位置情報をＷＥＢ表示やメールで連絡する。
【００３４】
請求項１３に記載の発明は、前記媒体梱包部材は、変換前の媒体と変換後の媒体とを収納するように２室に分かれていることを特徴とする請求項１０乃至請求項１２のいずれか１項に記載の情報変換受発注方法である。
【００３５】
この請求項１３に記載の発明によれば、媒体梱包部材は、変換前の媒体と変換後の媒体とを収納するように２室に分かれていることで、生産者もユーザも内容物の確認が容易になり、確実にユーザの商品を受け渡すことが可能となる。
【００３６】
請求項１４に記載の発明は、前記媒体梱包部材は、媒体の有無を確認する確認窓を有することを特徴とする請求項１０乃至請求項１３のいずれか１項に記載の情報変換受発注方法である。
【００３７】
この請求項１４に記載の発明によれば、媒体梱包部材は、媒体の有無を確認する確認窓を有することで、例えば取り次ぎ店等で外部から容易に媒体の収納を確認できる。
【００３８】
請求項１５に記載の発明は、前記媒体梱包部材は、利用回数を明示する表示部を有することを特徴とする請求項１０乃至請求項１４のいずれか１項に記載の情報変換受発注方法である。
【００３９】
この請求項１５に記載の発明によれば、媒体梱包部材は、利用回数を明示する表示部を有することで、媒体梱包部材を通いとした場合の交換時期を容易に知ることができる。
【００４０】
請求項１６に記載の発明は、前記媒体梱包部材は、封筒であることを特徴とする請求項１０乃至請求項１５のいずれか１項に記載の情報変換受発注方法である。
【００４１】
この請求項１６に記載の発明によれば、媒体梱包部材が封筒であることで、嵩張らず簡便で、かつ安価である。
【００４２】
請求項１７に記載の発明は、前記媒体梱包部材は、通いケースであることを特徴とする請求項１０乃至請求項１５のいずれか１項に記載の情報変換受発注方法である。
【００４３】
この請求項１７に記載の発明によれば、媒体梱包部材が通いケースであることで、何回も使用でき便利である。通いケースの形状・材質には特に制限は無いが好ましくは、耐久性と繰り返しの封緘機能のある、厚紙で構成されたボックス型の形状のものや、ファスナ付きのビニールケースなどが挙げられる。また、内部の視認性にすぐれた透明部材を用いることも好ましい。
【００４４】
請求項１８に記載の発明は、前記媒体梱包部材の送付とともに、前記情報を変換する媒体を梱包して送付する時に用いる注文伝票を送付することを特徴とする請求項１０乃至請求項１７のいずれか１項に記載の情報変換受発注方法である。
【００４５】
この請求項１８に記載の発明によれば、媒体梱包部材の送付とともに、情報を変換する媒体を梱包して送付する時に用いる注文伝票を送付することで、ユーザや取り次ぎ店で注文伝票を別に用意する必要がなく便利である。
【００４６】
【発明の実施の形態】
以下、この発明の情報変換受発注システム及び情報変換受発注方法の実施の形態を図面に基づいて説明するが、この発明は、この実施の形態に限定されない。
【００４７】
図１は情報変換受発注システムを示す図である。
【００４８】
図１において、ネットワーク１に、受発注サーバ２、ユーザ端末３が接続され、受発注サーバ２には、受発注管理端末４が接続され、それぞれネットワーク１を介して通信可能となっている。
【００４９】
ネットワーク１は、コンピュータ・システム、端未、データ通信設備を相互に接続したものをいう。接続は専用回線、公衆回線のような有線で接続されていても良いし、通信衛星などを通じて無線で接続されていてもよいし、それらの複合形態で接続されていても良い。いわゆるインターネットなどもネットワークに含まれる。
【００５０】
ユーザ端末３は、パーソナルコンピュータ、携帯情報端末（ＰＤＡ）、携帯電話等で文字情報と画像情報の送受信が可能な電子機器端末であればよく、情報変換サービスの注文情報を受発注サーバ２へ送信する。この情報変換サービスは、媒体の情報を変換し変換後の媒体とともに変換前の媒体を返却するサービスであり、情報変換サービスの注文情報としては、ユーザーを特定する情報、変換前の媒体種や数量を特定する情報、変換後の媒体種や数量を特定する情報、媒体梱包部材の受け取り方法・場所を特定する情報、商品の申し込み・受け渡し場所を特定する情報、代金の支払方法に関する情報、タイトルやコメントなど商品に付加する情報、演出内容など商品仕上りのイメージを指定する情報などであり、例えばユーザの名前、住所、電話番号、受け付け店舗名、変換前の媒体として媒体品種、長さ、本数等、変換後の媒体としてＤＶＤ等とする情報である。
【００５１】
受発注サーバ２は、媒体の情報を変換し変換後の媒体とともに変換前の媒体を返却する情報変換サービスの注文受付及び注文管理を行う。例えば、受発注サーバ２では、情報変換サービスの注文情報を受け取ると、注文受付確認メールをユーザ端末３に送信し、受付番号を連絡する。この受付番号による製品追跡が可能であり、ユーザへの店舗受取可能日の連絡等を行なう。そして、受発注サーバ２では、情報を変換する媒体を梱包して送付するための媒体梱包部材を発注する。
【００５２】
この媒体梱包部材を発注する時に、注文前の媒体梱包部材及び／又は注文の申し込み・受け取りの場所を指定し、受け取りに都合の良い場所で、空（注文前）の媒体梱包部材の受け取りや、その媒体梱包部材を用いた商品注文が容易になる。また、発注された媒体梱包部材の送付時に、注文の申し込み・受け取り場所が自宅以外の場所である場合には、指定場所の地図が媒体梱包部材に明示し、空の媒体梱包部材の受け取り場所が自宅以外の場合には、その場所の地図などの位置情報をＷＥＢ表示やメールで連絡することで、ユーザは間違いなく商品の注文を行うことができる。
【００５３】
受発注管理端末４では、受発注管理者が媒体梱包部材１０の発注に基づき、媒体梱包部材１０を受け取り場所に送付する。この発注された媒体梱包部材１０の送付時に、注文の申し込みと商品の受け取り場所の地図を媒体梱包部材に明示することができる。
【００５４】
また、媒体梱包部材１０は、変換前の媒体と変換後の媒体とを収納するように２室に分かれているものでもよい。また、媒体梱包部材１０は、媒体の有無を確認する確認窓を有するものでもよい。媒体梱包部材１０は、利用回数を明示する表示部を有するものでもよい。媒体梱包部材１０は、封筒でもよく、通いケースでもよい。
【００５５】
また、媒体梱包部材１０の送付とともに、情報を変換する媒体を梱包して送付する時に用いる注文伝票を送付するようにしてもよい。
【００５６】
ユーザは、媒体梱包部材１０が送付されてくると、変換前の媒体１１、例えば録画済のＶＨＳテープを媒体梱包部材１０に入れて取り次ぎ店１２の店頭へ持参する。取り次ぎ店１２の店頭では、店員が受付日記入と記載内容の確認で受付完了し、これを受発注管理者が集配する。
【００５７】
また、ユーザは、媒体梱包部材１０が送付されてくると、変換前の媒体１１、例えばＶＨＳを媒体梱包部材１０に入れて直接受発注管理者へ送付することもできるし、生産拠点１３に送ることもできる。
【００５８】
受発注管理者は、媒体梱包部材１０が送付されてくると、生産拠点１３へ送り、変換前の媒体１１、例えばＶＨＳをＤＶＤに変換する。生産拠点１３は受発注管理場所にあっても良いし、別の場所に独立していても良い。
【００５９】
受発注管理者は、この変換後の媒体１４とともに変換前の媒体１１を媒体梱包部材１０に入れて取り次ぎ店１２へ送る。また、取り次ぎ店１２へ送らないで、ユーザに変換後の媒体１４とともに変換前の媒体１１を媒体梱包部材１０に入れて直接送るようにしてもよい。
【００６０】
取り次ぎ店１２へ送る場合は、ユーザが取り次ぎ店１２の店頭で仕上がり品を受け取るが、変換後の媒体１４とともに変換前の媒体１１が返却される。
【００６１】
次に、媒体の情報を変換し変換後の媒体とともに変換前の媒体を返却する情報変換サービスの注文について詳細に説明する。
【００６２】
まず、ビデオテープからＤＶＤに変換する情報変換サービスの注文を、図２乃至図６に基づいて説明する。図２は情報変換サービスの注文画面である。ユーザ端末３には情報変換サービスの注文画面２０が表示され、この情報変換サービスの注文画面２０からユーザが情報変換サービスの注文を行なう。この情報変換サービスの注文画面２０は、撮影データ入力部２０ａ、ユーザ情報入力部２０ｂ、指定取り次ぎ店入力部２０ｃを有する。
【００６３】
撮影データ入力部２０ａからテープフォーマット、テープタイトル、テープサブタイトル、撮影者や撮影日等が入力される。ユーザ情報入力部２０ｂから媒体梱包部材のビデオテープ梱包キットを送付するユーザの宛名、住所、Ｅメールアドレス、電話番号等が入力される。指定取り次ぎ店入力部２０ｃから指定取り次ぎ店一覧をクリックすると、図３の取次ぎ店舗選択画面３０が表示される。この取次ぎ店舗選択画面３０では、取り次ぎ店入力部３０ａ、ラボ店のリスト３０ｂやコンビニ等のリスト３０ｃから入力し、簡単かつ確実に指定することができる。
【００６４】
図３の取次ぎ店舗選択画面３０で取り次ぎ店が指定されると、図２の指定取り次ぎ店入力部２０ｃに指定した取り次ぎ店が入力される。
【００６５】
図４は情報変換サービスの注文確認画面である。ユーザ端末３には情報変換サービスの注文確認画面４０が表示され、この情報変換サービスの注文確認画面４０でユーザが情報変換サービスの注文確認を行なう。
【００６６】
この情報変換サービスの注文確認画面４０は、撮影データ確認部４０ａ、ユーザ情報確認部４０ｂ、料金確認部４０ｃを有し、注文に間違いがあれば戻るボタン４０ｄをクリックし、図２及び図３の情報変換サービスの注文画面に戻り修正し、注文に間違いがなければ注文ボタン４０ｅをクリックして送信する。
【００６７】
また、ユーザ端末３から情報変換サービスの注文が行なわれると、図５の情報変換サービスの注文受付画面が表示され、この注文受付画面５０で受付番号５０ａが連絡される。
【００６８】
また、ユーザ端末３には、図６に示す情報変換サービスの注文申込状況確認画面６０が表示され、受付番号で情報変換サービスの進行状況を確認できる。
【００６９】
次に、ビデオテープからＤＶＤに変換する情報変換サービスの注文の他の実施の形態を、図７に基づいて説明する。この実施の形態は、ＶＨＳ、ＤＶ、８ｍｍ等ビデオのＤＶＤ変換サービスであるが、これに限らず各媒体から変換サービスを行なうことができる。
【００７０】
ユーザは、情報変換サービスの注文画面７０のＶＨＳ、ＤＶ、８ｍｍからクリックによってビデオテープの形式７０ａを選び、演出のない通常の形式、お祝いの演出、礼儀正しい演出からクリックによってＤＶＤの形式７０ｂを選ぶ。また、このＤＶＤの形式７０ｂの選択でタイトルのシートのインデックスを付けること、チャプターを付けること、個別プリントアウトの指示等を行なう。
【００７１】
注文用の箱の送り先７０ｃは、会員登録された住所、別の住所をクリックによって選ぶ。会員登録された住所を選ぶと、登録住所の表示が行なわれ、別の住所を選ぶことで住所を入力する。この実施の形態では、媒体梱包部材を注文用の箱で構成している。
【００７２】
ビデオの受付７０ｄは、この前受取の店舗、店舗指定をクリックによって選ぶ。この前受取の店舗をクリックすると、店名表示する。取引が無ければこの選択肢を表示しない。また、店舗指定ををクリックすると、指定のページへジャンプしてこの前の店舗以外を指定する。
【００７３】
ＤＶＤの受取方法７０ｅは、受付店舗と同じ、別店舗指定、会員登録された住所への直送、別の住所へ直送をクリックによって選ぶ。別店舗指定をクリックによって選ぶと、指定のページへジャンプし、別の住所へ直送をクリックによって選ぶと、この選んだときに住所を入力することができる。
【００７４】
お支払い方法７０ｆでは、店舗受取以外を選んだ時のみ、ここで支払い方法を指定させる。クレジット、代引きなどの選択肢、別店舗受取でも店頭支払いしか選択できないものとする。
【００７５】
送信７０ｇは、クリックすると行なわれる。
【００７６】
受発注サーバ２は、情報変換サービスの注文情報を受け取ると、情報を変換する媒体を梱包して送付するための媒体梱包部材を発注する。この媒体梱包部材の発注を、図８乃至図１２に基づいて説明する。
【００７７】
図８は媒体梱包部材の実施の形態として封筒を示している。この実施の形態では、媒体梱包部材１０が封筒１０ａであり、注文伝票１０ｈを有する。この封筒１０ａをユーザが指定する場所に送付する。封筒１０ａは強度がある紙、樹脂等で形成され、嵩張らず、軽量で簡便で、かつ安価である。この封筒１０ａにＤＶＤに変換する変換前の媒体１１であるビデオテープを収納する。この封筒１０ａは、変換したＤＶＤも収納して返却できる大きさでもよく、この場合は、通い封筒としても利用できる。
【００７８】
この封筒１０ａはのり付けや接着テープ等で密封するが、図９に示すように、チャック１０ｆ１を有するケース１０ｆで形成したものでも良い。このケース１０ｆは、注文伝票１０ｇを有し、例えばオレフィン等の可撓性樹脂で形成され、簡単に開閉することができる。
【００７９】
図１０は媒体梱包部材の実施の形態として特定ユーザ専用の通いケースを示している。この実施の形態では、媒体梱包部材１０が特定ユーザ専用の通いケース１０ｂである。図１０（ａ）の実施の形態の通いケース１０ｂは、注文伝票１０ｂ１や利用回数を明示する表示部１０ｂ２を有する。媒体梱包部材１０が通いケース１０ｂであることで、何回も使用でき便利である。
【００８０】
この利用回数を明示する表示部１０ｂ２によって、媒体梱包部材１０を通いとした場合の交換時期を容易に知ることができる。また、利用回数を明示する表示部１０ｂ２を再注文で加算されるポイントとし、このポイントが貯まると例えば１回無料になる等のサービスを行なう。
【００８１】
図１０（ｂ）の実施の形態の通いケース１０ｃは、変換前の媒体と変換後の媒体とを収納するように仕切り１０ｃ１によって２室１０ｃ２，１０ｃ３に分かれ、下室１０ｃ２に変換前の媒体１１を収納し、上室１０ｃ３に変換後の媒体１４を収納するようになっている。このように、仕切り１０ｃ１によって分けて収納することで、変換前の媒体１１と変換後の媒体１４が傷付くことなく、しかも返却忘れもなく確実にユーザに返却することができるようになっている。
【００８２】
また、通いケース１０ｃには、下室１０ｃ２に対応した位置に媒体の有無を確認する確認窓１０ｃ４が形成され、上室１０ｃ３に対応した位置に媒体の有無を確認する確認窓１０ｃ５が形成され、例えば取り次ぎ店等で外部から容易に媒体の収納を確認できるようになっている。
【００８３】
図１０（ｃ）の実施の形態の通いケース１０ｄは、変換前の媒体をセットするスペーサ１０ｄ１１〜１０ｄ１３を有し、変換後の媒体をセットするスペーサ１０ｄ２１を有する。スペーサ１０ｄ１１は、ＶＨＳ用であり、スペーサ１０ｄ１２は、ＤＶ用であり、スペーサ１０ｄ１３は、サービス版プリント用であり、それぞれ変換前の媒体の位置決めを行なうことが可能な凹部１０ｄ１１１，１０ｄ１２１，１０ｄ１３１を有する。スペーサ１０ｄ２１は、ＤＶＤ用であり、変換後の媒体の位置決めを行なうことが可能な凹部１０ｄ２１１を有する。
【００８４】
変換前の媒体に応じてスペーサ１０ｄ１１〜１０ｄ１３を選択して使用し、変換前の媒体に応じてスペーサと、変換後の媒体に応じたスペーサを用いて収納することで、変換前の媒体１１と変換後の媒体１４が傷付くことなく、しかも返却忘れもなく確実にユーザに返却することができるようになっている。
【００８５】
このように、図８乃至図１０の媒体梱包部材を発注する時に、図１１及び図１２のような注文伝票を発注する。図１１の注文伝票８０は図２乃至図６の実施の形態の注文に対応したものであり、図１２の注文伝票８１は図７の実施の形態の注文に対応したものである。
【００８６】
図１１の注文伝票８０には、ユーザ送付宛名部８０ａ、ユーザＥメールアドレス及び電話番号部８０ｂ、取り次ぎ店情報部８０ｃ、受付番号部８０ｄ、注文情報部８０ｅ、取り次ぎ店用バーコード部８０ｆ及び受発注管者用バーコード部８０ｇを有する。
【００８７】
この注文伝票８０の作成で媒体梱包部材の受け取り場所が指定され、媒体梱包部材１０の送付とともに、注文伝票８０を送付する。この注文伝票８０によって、媒体梱包部材１０を発注する時に、媒体梱包部材１０の受け取り場所を指定することで、ユーザは自宅や取り次ぎ店等、受け取りに都合が良い場所で媒体梱包部材１０を受け取ることができる。
【００８８】
そして、媒体梱包部材１０の送付とともに、情報を変換する媒体を梱包して送付する時に用いる注文伝票８０を送付することで、ユーザや取り次ぎ店で注文伝票を別に用意する必要がなく便利である。また、取り次ぎ店では、取り次ぎ店用バーコード部８０ｆから注文情報を読み取り、同様に受発注管者が受発注管者用バーコード部８０ｇから注文情報を読み取りることで、それぞれの情報変換サービスの管理が容易になる。
【００８９】
図１２の注文伝票８１，８２には、ユーザ送付宛名部８１ａ，８２ａ、ユーザＥメールアドレス及び電話番号部８１ｂ，８２ｂ、取り次ぎ店情報部８１ｃ，８２ｃ、受付番号部８１ｄ，８２ｄ、注文情報部８１ｅ，８２ｅを有する。
【００９０】
注文伝票８２は、受発注管者用Ａ、ユーザ用Ｂ、取り次ぎ店控え用Ｃ、生産拠点控え用Ｄ及び製品貼り付け用Ｅの５枚で構成され、それぞれ切り取り線８２ｆ１〜８２ｆ４で切断される。
【００９１】
注文伝票８１は、媒体梱包部材１０に付けてユーザの自宅や取り次ぎ店等、受け取りに都合が良い場所へ送付され、注文伝票８２は媒体梱包部材と共に送付される。
【００９２】
この注文伝票８１によって、媒体梱包部材１０を発注する時に、媒体梱包部材１０の受け取り場所を指定することで、ユーザは自宅や取り次ぎ店等、受け取りに都合が良い場所で媒体梱包部材１０を受け取ることができる。
【００９３】
そして、媒体梱包部材１０の送付とともに、情報を変換する媒体を梱包して送付する時に用いる注文伝票８２を送付するが、受発注管者用Ａは切り取り線８２ｆ１で切断して残りのユーザ用Ｂ、取り次ぎ店控え用Ｃ、生産拠点控え用Ｄ及び製品貼り付け用Ｅを送る。
【００９４】
ユーザは、ユーザ用Ｂを切り取り線８２ｆ４で切断し、製品貼り付け用Ｅを切り取り線８２ｆ２で切断し、情報を変換する媒体１１に製品貼り付け用Ｅを貼り付け、この情報を変換する媒体１１を媒体梱包部材１０で梱包して取り次ぎ店に行く。取り次ぎ店では、生産拠点に送るようにして取り次ぎ店控え用Ｃを切り取り線８２ｆ３で切断する。
【００９５】
生産拠点１３では、媒体の情報を変換し変換後の媒体１４とともに変換前の媒体１１を媒体梱包部材１０で梱包して取り次ぎ店に送付し、あるいは受発注管者を介して送付する。このとき生産拠点１３は生産拠点控え用Ｄを取っておく。
【００９６】
このように、ユーザや取り次ぎ店、受発注管者、生産拠点は、注文伝票を別に用意する必要がなく便利である。また、発注された媒体梱包部材１０の送付時に、受け取り場所の地図が媒体梱包部材１０に明示されていることで、変換前の媒体と変換後の媒体とを収納し、間違いなくユーザが指定した受け取り場所に返却するようにすることができる。
【００９７】
このように、受発注サーバ２が情報変換サービスの注文情報を受け取ると、情報を変換する媒体を梱包して送付するための媒体梱包部材１０を発注することで、ユーザに媒体梱包部材１０が送られてくるために、ユーザは情報を変換する媒体を媒体梱包部材１０によって梱包して送付し、情報変換サービスを効率的に行なうことができる。
【００９８】
次に、媒体の情報を変換し変換後の媒体とともに変換前の媒体を返却する情報変換サービスの実施の形態を、図１３乃至図１４に基づいて説明する。
【００９９】
図１３は媒体梱包部材の発注のフローチャートである。
【０１００】
ユーザは、ユーザ端末３のブラウザソフトを立ち上げ、媒体の情報を変換し変換後の媒体とともに変換前の媒体を返却する情報変換サービスの注文サイトにアクセスし（Ｓａ１）、情報変換サービスの注文情報を受発注サーバ２へ送信し、このようなネットワーク請求が行なわれ、媒体梱包部材１０の注文があると（Ｓａ２）、ユーザがすでに住所登録済みかどうかの判断を行う（Ｓａ３）。
【０１０１】
ユーザが住所登録した会員でない場合は、住所を登録させ（Ｓａ４）、住所登録した会員の場合は、住所確認を行なう（Ｓａ５）。Ｓａ５において、住所が異なる場合には、会員登録変更画面にて変更させ（Ｓａ６）、登録変更確認したら（Ｓａ７）、Ｓａ８へ移行する。
【０１０２】
また、Ｓａ５において、住所登録した会員の場合で住所確認で問題がないと、Ｓａ８へ移行し、このＳａ８において情報変換サービスの完成品の受け取り方が登録されていない場合には、直送する（Ｓａ９）。
【０１０３】
Ｓａ８において、完成品の受け取り方が登録されている場合には、取り次ぎ店履歴を表示し（Ｓａ１０）、履歴があるか否かの確認を行ない（Ｓａ１１）、履歴があると、変更がないか否かの判断を行ない（Ｓａ１２）、変更がない場合は、Ｓａ１３へ移行し、変更がある場合は、Ｓａ１４へ移行する。
【０１０４】
Ｓａ１１において、履歴がない場合もＳａ１３へ移行し、このＳａ１３では、取り次ぎ店舗を指定し、この製品の注文及び完成品の受け取り場所をその店として媒体梱包部材を発送する（Ｓａ１４）。
【０１０５】
図１４は情報変換サービスのフローチャートである。
【０１０６】
ネットワークによって媒体梱包部材を請求し、この媒体梱包部材がユーザに送付され（Ｓｂ１）、またユーザが取り次ぎ店で媒体梱包部材を買い（Ｓｂ２）、ユーザが変換前の媒体を媒体梱包部材に詰める（Ｓｂ３）。
【０１０７】
ユーザは取り次ぎ店の地図情報を参照して、変換前媒体（ビデオテープや写真プリントなど）を封入した、注文票付きの媒体梱包部材を持参する。店員は、媒体梱包部材を受け取り、仕上り予定日等を記入し、預り証（控えの受取証）部分をユーザに渡す（Ｓｂ４）。この媒体梱包部材が生産拠点に送付される（Ｓｂ５）。
【０１０８】
生産拠点にて、変換前の媒体（ビデオテープや写真プリントなど）を変換し、ＤＶＤや写真アルバムなどの変換後の媒体を作成する（Ｓｂ６）。この変換前の媒体と変換後の媒体を梱包し、両方が入った媒体梱包部材を取り次ぎ店へ送付する（Ｓｂ７）。
【０１０９】
ユーザが取り次ぎ店へ来店し（Ｓｂ８）、ユーザが注文時に控えとして持っているユーザ用Ｂの受取票を確認し（Ｓｂ９）、このユーザ用Ｂの受取票を持っていない場合には、本人確認を行ない（Ｓｂ１０）、本人確認ができない場合には、製品を引き渡さず発注者に連絡する（Ｓｂ１１）。Ｓｂ９において、ユーザ用Ｂの受取票を持っている場合には、決済と製品の引き渡しを行う（Ｓｂ１２）。
【０１１０】
【発明の効果】
前記したように、請求項１及び請求項１０に記載の発明では、受発注サーバが情報変換サービスの注文情報を受け取ると、情報を変換する媒体を梱包して送付するための媒体梱包部材を発注することで、ユーザに媒体梱包部材が送られてくるために、ユーザは情報を変換する媒体を媒体梱包部材によって梱包して送付し、情報変換サービスを効率的に行なうことができる。
【０１１１】
請求項２及び請求項１１に記載の発明では、媒体梱包部材を発注する時に、注文前の媒体梱包部材及び／又は注文の申し込み・受け取りの場所を指定することで、受け取りに都合の良い場所で、空（注文前）の媒体梱包部材の受け取りや、その媒体梱包部材を用いた商品注文が容易になる。
【０１１２】
請求項３及び請求項１２に記載の発明では、発注された媒体梱包部材の送付時に、自宅以外を商品注文場所に指定した時に、注文・受け取り場所の地図が媒体梱包部材に明示されていることで、間違いなくユーザは指定場所で注文と受け取りが可能となる。一方空（注文前）の媒体梱包部材の受け取り場所が自宅以外の店舗等の場合は、その場所の地図などの位置情報をＷＥＢ表示やメールで連絡する。
【０１１３】
請求項４及び請求項１３に記載の発明では、媒体梱包部材は、変換前の媒体と変換後の媒体とを収納するように２室に分かれていることで、生産者もユーザも内容物の確認が容易になり、確実にユーザの商品を受け渡すことが可能となる。
【０１１４】
請求項５及び請求項１４に記載の発明では、媒体梱包部材は、媒体の有無を確認する確認窓を有することで、例えば取り次ぎ店等で外部から容易に媒体の収納を確認できる。
【０１１５】
請求項６及び請求項１５に記載の発明では、媒体梱包部材は、利用回数を明示する表示部を有することで、媒体梱包部材を通いとした場合の交換時期を容易に知ることができる。
【０１１６】
請求項７及び請求項１６に記載の発明では、媒体梱包部材が封筒であることで、嵩張らず簡便で、かつ安価である。
【０１１７】
請求項８及び請求項１７に記載の発明では、媒体梱包部材が通いケースであることで、何回も使用でき便利である。通いケースの形状・材質には特に制限は無いが好ましくは、耐久性と繰り返しの封緘機能のある、厚紙で構成されたボックス型の形状のものや、ファスナ付きのビニールケースなどが挙げられる。また、内部の視認性にすぐれた透明部材を用いることも好ましい。
【０１１８】
請求項９及び請求項１８に記載の発明では、媒体梱包部材の送付とともに、情報を変換する媒体を梱包して送付する時に用いる注文伝票を送付することで、ユーザや取り次ぎ店で注文伝票を別に用意する必要がなく便利である。
【図面の簡単な説明】
【図１】情報変換受発注システムを示す図である。
【図２】情報変換サービスの注文画面を示す図である。
【図３】取り次ぎ店の入力画面を示す図である。
【図４】情報変換サービスの注文確認画面を示す図である。
【図５】情報変換サービスの注文受付画面を示す図である。
【図６】情報変換サービスの注文申込状況確認画面を示す図である。
【図７】ビデオテープからＤＶＤに変換する情報変換サービスの注文の他の実施の形態を示す図である。
【図８】媒体梱包部材の実施の形態として封筒を示す図である。
【図９】媒体梱包部材の実施の形態としてケースを示す図である。
【図１０】媒体梱包部材の実施の形態として特定ユーザ専用の通いケースを示す図である。
【図１１】図２乃至図６の実施の形態の注文に対応した注文伝票を示す図である。
【図１２】図７の実施の形態の注文に対応した注文伝票を示す図である。
【図１３】媒体梱包部材の発注のフローチャートである。
【図１４】情報変換サービスのフローチャートである。
【符号の説明】
１  ネットワーク
２  受発注サーバ
３  ユーザ端末
４  受発注管理端末
１０  媒体梱包部材
１１  変換前の媒体
１２  取り次ぎ店
１３  生産拠点
１４  変換後の媒体
２０  情報変換サービスの注文画面
４０  情報変換サービスの注文確認画面
５０  注文受付画面
６０  注文申込状況確認画面
７０  情報変換サービスの注文画面
８０，８１  注文伝票
【図１】
2004318219.tif 000003
【図２】
2004318219.tif 000004
【図３】
2004318219.tif 000005
【図４】
2004318219.tif 000006
【図５】
2004318219.tif 000007
【図６】
2004318219.tif 000008
【図７】
2004318219.tif 000009
【図８】
2004318219.tif 000010
【図９】
2004318219.tif 000011
【図１０】
2004318219.tif 000012
【図１１】
2004318219.tif 000013
【図１２】
2004318219.tif 000014
【図１３】
2004318219.tif 000015
【図１４】
2004318219.tif 000016